(57)【特許請求の範囲】
【請求項１】
相手機における送信したい通信パラメータを受信する第２の受信手段と、
自機における受信能力に応じた通信パラメータを相手機へ送信する第２の送信手段と、
前記送信したい通信パラメータ及び前記受信能力に応じた通信パラメータに基づいて、最適の通信パラメータを選択する第１の選択手段と、
該最適の通信パラメータに従って所定の画情報を相手機から受信する第１の画情報受信手段と、を備え、
前記第１の選択手段は、前記第１の画情報受信手段により前記画情報の直前で受信する予定のパラメータについては最適の通信パラメータの選択を行わず、前記第１の画情報受信手段により受信されたパラメータを最適の通信パラメータとして選択する、
ことを特徴とするファクシミリ装置。
【請求項２】
自機において送信したい通信パラメータを相手機へ送信する第１の送信手段と、
相手機における受信能力に応じた通信パラメータを受信する第１の受信手段と、
前記送信したい通信パラメータ及び前記受信能力に応じた通信パラメータに基づいて、最適の通信パラメータを選択する第１の選択手段と、
該最適の通信パラメータに従って所定の画情報を相手機へ送信する第１の画情報送信手段と、
送信したい通信パラメータを決定する決定手段と、を備え、
前記第１の送信手段は、前記決定手段により送信したい通信パラメータが決定されていない場合、予め定められた未決定時パラメータを送信しておき、前記決定手段により送信したい通信パラメータが決定された時点で、該送信したい通信パラメータの送信に切り換える、
ことを特徴とするファクシミリ装置。
【請求項３】
相手機における送信したい通信パラメータを受信する第２の受信手段と、
自機における受信能力に応じた通信パラメータを相手機へ送信する第２の送信手段と、
前記送信したい通信パラメータ及び前記受信能力に応じた通信パラメータに基づいて、最適の通信パラメータを選択する第１の選択手段と、
該最適の通信パラメータに従って所定の画情報を相手機から受信する第１の画情報受信手段と、
受信能力に応じた通信パラメータ群を設定する設定手段と、を備え、
該設定手段は、前記第２の受信手段により受信された送信したい通信パラメータで指示されていない能力については、受信能力に応じた通信パラメータ群に設定せず、
前記第２の送信手段は、前記設定手段により設定された受信能力に応じた通信パラメータ群を相手機へ送信する、
ことを特徴とするファクシミリ装置。
【請求項４】
送信機における送信したい通信パラメータ及び送信能力に応じた通信パラメータを受信機へ送信し、
前記受信機は前記送信したい通信パラメータ、前記送信能力に応じた通信パラメータ及び該受信機が有する受信能力に応じた通信パラメータに基づいて最適の通信パラメータを選択し、該最適の通信パラメータを送信機へ送信し、
送信機は受信機から受信した最適の通信パラメータに従って所定の画情報を受信機へ送信し、
受信機は前記最適の通信パラメータに従って所定の画情報を送信機から受信する、
ことを特徴とするファクシミリ通信方法。
【請求項５】
自機において送信したい通信パラメータ及び送信能力に応じた通信パラメータを相手機へ送信する第３の送信手段と、
相手機からの最適の通信パラメータを受信する第３の受信手段と、
前記最適の通信パラメータに従って所定の画情報を相手機へ送信する第２の画情報送信手段と、
を備えたファクシミリ装置。
【請求項６】
相手機における送信したい通信パラメータ及び送信能力に応じた通信パラメータを受信する第４の受信手段と、
前記送信したい通信パラメータ、前記送信能力に応じた通信パラメータ及び自機における受信能力に応じた通信パラメータに基づいて最適の通信パラメータを選択する第２の選択手段と、
該最適の通信パラメータを相手機へ送信する第４の送信手段と、
該最適の通信パラメータに従って所定の画情報を相手機から受信する第２の画情報受信手段と、
を備えたファクシミリ装置。
【請求項７】
送信機における送信したい通信パラメータ及び送信能力に応じた通信パラメータを受信機へ送信し、
前記受信機は該受信機が有する受信能力に応じた通信パラメータを送信機へ送信し、
送信機及び受信機の各々は前記送信したい通信パラメータ、前記送信能力に応じた通信パラメータ及び前記受信能力に応じた通信パラメータに基づいて最適の通信パラメータを選択し、
送信機は送信機で選択した最適の通信パラメータに従って所定の画情報を受信機へ送信し、
受信機は受信機で選択した最適の通信パラメータに従って所定の画情報を受信する、
ことを特徴とするファクシミリ通信方法。
【請求項８】
自機において送信したい通信パラメータ及び送信能力に応じた通信パラメータを相手機へ送信する第３の送信手段と、
相手機における受信能力に応じた通信パラメータを受信する第１の受信手段と、
前記送信したい通信パラメータ、前記送信能力に応じた通信パラメータ及び前記受信能力に応じた通信パラメータに基づいて、最適の通信パラメータを選択する第２の選択手段と、
該最適の通信パラメータに従って所定の画情報を相手機へ送信する第２の画情報送信手段と、
を備えたファクシミリ装置。
【請求項９】
相手機における送信したい通信パラメータ及び送信能力に応じた通信パラメータを受信する第４の受信手段と、
自機における受信能力に応じた通信パラメータを相手機へ送信する第２の送信手段と、
前記送信したい通信パラメータ、前記送信能力に応じた通信パラメータ及び前記受信能力に応じた通信パラメータに基づいて、最適の通信パラメータを選択する第２の選択手段と、
該最適の通信パラメータに従って所定の画情報を相手機から受信する第２の画情報受信手段と、
を備えたファクシミリ装置。
【請求項１０】
送信したい通信パラメータを決定する決定手段を更に備え、
前記第３の送信手段は、前記決定手段により送信したい通信パラメータが決定されていない場合、予め定められた未決定時パラメータを送信しておき、前記決定手段により送信したい通信パラメータが決定された時点で、該送信したい通信パラメータの送信に切り換える、
ことを特徴とする請求項５又は請求項８に記載のファクシミリ装置。
【請求項１１】
前記第４の受信手段は相手機からの送信したい通信パラメータ及び送信能力に応じた通信パラメータを繰り返し受信し、
前記第２の選択手段は送信したい通信パラメータ、送信能力に応じた通信パラメータ及び受信能力に応じた通信パラメータに基づいて、最適の通信パラメータを繰り返し選択し、
前記第２の画情報受信手段は、前記第２の選択手段により最後に選択された最適の通信パラメータに従って所定の画情報を相手機から受信する、
ことを特徴とする請求項６又は請求項９に記載のファクシミリ装置。
【請求項１２】
前記送信したい通信パラメータ及び前記送信能力に応じた通信パラメータの各々は、所定の伝搬機能を有する制御信号によって送信され、
かつ前記送信したい通信パラメータ及び前記送信能力に応じた通信パラメータは、単一の制御信号により一度に送信される、
ことを特徴とする請求項５又は請求項８に記載のファクシミリ装置。
【請求項１３】
相手機への通信パラメータの送信及び相手機からの通信パラメータの受信は、２４００ｂｐｓ以上の高速の通信速度で行われることを特徴とする請求項５、６、８、９の何れか１項に記載のファクシミリ装置。
【請求項１４】
前記送信したい通信パラメータ及び前記受信能力に応じた通信パラメータに基づいて、相手機への前記画情報の送信が可能であるか否かを判断し、前記画情報の送信が不可能である場合に、相手機との通信を中止させる第１の制御手段を更に備えたことを特徴とする請求項５又は８に記載のファクシミリ装置。
【請求項１５】
前記送信したい通信パラメータ及び前記受信能力に応じた通信パラメータに基づいて、相手機からの前記画情報の受信が可能であるか否かを判断し、前記画情報の受信が不可能である場合、相手機との通信を中止させる第２の制御手段を更に備えたことを特徴とする請求項６又は９に記載のファクシミリ装置。
【請求項１６】
前記送信したい通信パラメータ及び前記受信能力に応じた通信パラメータに基づいて、相手機からの前記画情報の受信が可能であるか否かを判断し、前記画情報の受信が不可能である場合、相手機から通信を中止させるための指示信号を相手機へ送信する第３の制御手段を更に備えたことを特徴とする請求項６又は９に記載のファクシミリ装置。
【発明の詳細な説明】
【０００１】
【産業上の利用分野】
本発明はファクシミリ通信方法及びファクシミリ装置に係り、特に、画情報の送受信前に行われる通信手順（プロトコル）の時間を短縮したファクシミリ通信方法及びファクシミリ装置に関するものである。
【０００２】
【従来の技術及び発明が解決しようとする課題】
従来のファクシミリ装置では、一般電話交換網における文書ファクシミリ通信手順としてＩＴＵ−Ｔ（旧ＣＣＩＴＴ）勧告Ｔ．３０によって標準化された伝送制御手順に従ってファクシミリ通信を行っている。
【０００３】
しかしながら、このファクシミリ装置では相手局が制御信号を確実に受信できるように３００ｂｐｓ程度の低速の伝送速度で制御信号を伝送しており、画情報の送受信前に行われる通信手順に時間がかかる、という問題があった。
【０００４】
ところで、ファクシミリ通信においては、通信の相手機が通信の度に変わりうるため、画情報の伝送に先立ち相手機との間で記録紙サイズ、解像度、符号化方式等の各種通信パラメータを決定する、所謂ネゴシエーション手順を実行する必要がある。
【０００５】
このため従来より、画情報の送受信前に行われる通信手順、特にネゴシエーション手順の時間を短縮するための技術が以下に示すように提案されている。
【０００６】
例えば、特開平５−２１９３３４号公報には、ＣＥＤ（被呼端末識別信号）を検出したときに発呼側が独自のトーン（ＤＴＭＦ）を送信してＣＥＤを停止させ、短縮プロトコル用の３００ｂｐｓのＮＳＦ（非標準機能設定信号、なおここでは必須能力の項目を省いたＮＳＦ）を送信する技術が記載されている。なお、この独自のトーンは、画情報の伝送速度を通知することも兼ねている。そして、画情報を送信する前にこの独自のトーンで通知した伝送速度で画情報のパラメータを高速で送信し、その後画情報そ送信している。
【０００７】
しかしながら、この技術では、ＮＳＦのデータ量が増加の一途を辿っている昨今ではＮＳＦを３００ｂｐｓのまま通信することはそれほどプロトコル時間を短縮することができないという問題がある。また、３００ｂｐｓのＮＳＦに対して高速で画情報を送信するので、その送信速度を通知するために送信局が最初に独自のトーンで画情報の通信速度を相手局へ通知できるようにしているが、これは画情報の前に画情報のパラメータを高速で送信し引き続き画情報を送信するという制御であるので、フォールバック手順が無い、という問題がある。
【０００８】
また、特開平３−６８２６２号公報には、発呼側がＣＥＤを検出した後トーンを送信し、被呼側はトーンを検出してＣＥＤを停止し、発呼側はＣＥＤの長さを計測して計測値が閾値より短ければＮＳＳを高速で送信する技術が記載されている。この技術では、前手順のネゴシエーションを省略して高速でＮＳＳを送信するため、発呼側、受信側で予め決定しておいた通信パラメータ（紙サイズ、線密度、圧縮方法等）で通信している。また、高速のＮＳＳ及びＮＳＳに続いて送信される画情報の伝送速度についても、スタート速度を予め決定しておき、エラー発生の場合の再送はその度に行い、規定回数エラーが発生すると、例えば、９６００ｂｐｓから７２００ｂｐｓにフォールバックして通信を行っている。
【０００９】
しかしながら、この技術では、前プロトコルのネゴシエーションを省略して高速のＮＳＳを送信しているため、予め定められた通信パラメータ（紙サイズや線密度等）に基づく通信のみ可能であり、他の通信パラメータに対応する機能を実現できないという不都合がある。また、高速ＮＳＳの通信速度も予め定めておけばエラーが発生してもフォールバックできると記されているが、実際には相手局でエラーが発生したとわかればこの技術のフォールバックは可能だが、相手局では信号そのものが取れず、送信局と相手局とで通信速度等がくい違い通信そのものが成立しなくなる、という問題がある。
【００１０】
本発明は、上記問題点を解消するために成されたもので、特に通信パラメータ決定の手順（所謂ネゴシエーション手順）を迅速かつ確実に実行することのできるファクシミリ通信方法及びファクシミリ装置を提供することを目的とする。
【００１５】
【課題を解決するための手段】
上記目的を達成するために請求項１記載の発明は、相手機における送信したい通信パラメータを受信する第２の受信手段と、自機における受信能力に応じた通信パラメータを相手機へ送信する第２の送信手段と、前記送信したい通信パラメータ及び前記受信能力に応じた通信パラメータに基づいて、最適の通信パラメータを選択する第１の選択手段と、該最適の通信パラメータに従って所定の画情報を相手機から受信する第１の画情報受信手段と、を備え、前記第１の選択手段は、前記第１の画情報受信手段により前記画情報の直前で受信する予定のパラメータについては最適の通信パラメータの選択を行わず、前記第１の画情報受信手段により受信されたパラメータを最適の通信パラメータとして選択する、ことを特徴とする。
【００１６】
また、請求項２記載の発明は、自機において送信したい通信パラメータを相手機へ送信する第１の送信手段と、相手機における受信能力に応じた通信パラメータを受信する第１の受信手段と、前記送信したい通信パラメータ及び前記受信能力に応じた通信パラメータに基づいて、最適の通信パラメータを選択する第１の選択手段と、該最適の通信パラメータに従って所定の画情報を相手機へ送信する第１の画情報送信手段と、送信したい通信パラメータを決定する決定手段と、を備え、前記第１の送信手段は、前記決定手段により送信したい通信パラメータが決定されていない場合、予め定められた未決定時パラメータを送信しておき、前記決定手段により送信したい通信パラメータが決定された時点で、該送信したい通信パラメータの送信に切り換える、ことを特徴とする。
【００１７】
また、請求項３記載の発明は、相手機における送信したい通信パラメータを受信する第２の受信手段と、自機における受信能力に応じた通信パラメータを相手機へ送信する第２の送信手段と、前記送信したい通信パラメータ及び前記受信能力に応じた通信パラメータに基づいて、最適の通信パラメータを選択する第１の選択手段と、該最適の通信パラメータに従って所定の画情報を相手機から受信する第１の画情報受信手段と、受信能力に応じた通信パラメータ群を設定する設定手段と、を備え、該設定手段は、前記第２の受信手段により受信された送信したい通信パラメータで指示されていない能力については、受信能力に応じた通信パラメータ群に設定せず、前記第２の送信手段は、前記設定手段により設定された受信能力に応じた通信パラメータ群を相手機へ送信する、ことを特徴とする。
【００１８】
また、請求項４記載の発明は、送信機における送信したい通信パラメータ及び送信能力に応じた通信パラメータを受信機へ送信し、前記受信機は前記送信したい通信パラメータ、前記送信能力に応じた通信パラメータ及び該受信機が有する受信能力に応じた通信パラメータに基づいて最適の通信パラメータを選択し、該最適の通信パラメータを送信機へ送信し、送信機は受信機から受信した最適の通信パラメータに従って所定の画情報を受信機へ送信し、受信機は前記最適の通信パラメータに従って所定の画情報を送信機から受信する、ことを特徴とする。
【００１９】
また、請求項５記載の発明は、自機において送信したい通信パラメータ及び送信能力に応じた通信パラメータを相手機へ送信する第３の送信手段と、相手機からの最適の通信パラメータを受信する第３の受信手段と、前記最適の通信パラメータに従って所定の画情報を相手機へ送信する第２の画情報送信手段と、を備えたことを特徴とする。
【００２０】
また、請求項６記載の発明は、相手機における送信したい通信パラメータ及び送信能力に応じた通信パラメータを受信する第４の受信手段と、前記送信したい通信パラメータ、前記送信能力に応じた通信パラメータ及び自機における受信能力に応じた通信パラメータに基づいて最適の通信パラメータを選択する第２の選択手段と、該最適の通信パラメータを相手機へ送信する第４の送信手段と、該最適の通信パラメータに従って所定の画情報を相手機から受信する第２の画情報受信手段と、を備えたことを特徴とする。
【００２１】
また、請求項７記載の発明は、送信機における送信したい通信パラメータ及び送信能力に応じた通信パラメータを受信機へ送信し、前記受信機は該受信機が有する受信能力に応じた通信パラメータを送信機へ送信し、送信機及び受信機の各々は前記送信したい通信パラメータ、前記送信能力に応じた通信パラメータ及び前記受信能力に応じた通信パラメータに基づいて最適の通信パラメータを選択し、送信機は送信機で選択した最適の通信パラメータに従って所定の画情報を受信機へ送信し、受信機は受信機で選択した最適の通信パラメータに従って所定の画情報を受信する、ことを特徴とする。
【００２２】
また、請求項８記載の発明は、自機において送信したい通信パラメータ及び送信能力に応じた通信パラメータを相手機へ送信する第３の送信手段と、相手機における受信能力に応じた通信パラメータを受信する第１の受信手段と、前記送信したい通信パラメータ、前記送信能力に応じた通信パラメータ及び前記受信能力に応じた通信パラメータに基づいて、最適の通信パラメータを選択する第２の選択手段と、該最適の通信パラメータに従って所定の画情報を相手機へ送信する第２の画情報送信手段と、を備えたことを特徴とする。
【００２３】
また、請求項９記載の発明は、相手機における送信したい通信パラメータ及び送信能力に応じた通信パラメータを受信する第４の受信手段と、自機における受信能力に応じた通信パラメータを相手機へ送信する第２の送信手段と、前記送信したい通信パラメータ、前記送信能力に応じた通信パラメータ及び前記受信能力に応じた通信パラメータに基づいて、最適の通信パラメータを選択する第２の選択手段と、該最適の通信パラメータに従って所定の画情報を相手機から受信する第２の画情報受信手段と、を備えたことを特徴とする。
【００２４】
また、請求項１０記載の発明は、請求項５又は請求項８に記載の発明において、送信したい通信パラメータを決定する決定手段を更に備え、前記第３の送信手段は、前記決定手段により送信したい通信パラメータが決定されていない場合、予め定められた未決定時パラメータを送信しておき、前記決定手段により送信したい通信パラメータが決定された時点で、該送信したい通信パラメータの送信に切り換える、ことを特徴とする。
【００２５】
また、請求項１１記載の発明は、請求項６又は請求項９に記載の発明において、前記第４の受信手段は相手機からの送信したい通信パラメータ及び送信能力に応じた通信パラメータを繰り返し受信し、前記第２の選択手段は送信したい通信パラメータ、送信能力に応じた通信パラメータ及び受信能力に応じた通信パラメータに基づいて、最適の通信パラメータを繰り返し選択し、前記第２の画情報受信手段は、前記第２の選択手段により最後に選択された最適の通信パラメータに従って所定の画情報を相手機から受信する、ことを特徴とする。
【００２６】
また、請求項１２記載の発明は、請求項５又は請求項８に記載の発明において、前記送信したい通信パラメータ及び前記送信能力に応じた通信パラメータの各々は、所定の伝搬機能を有する制御信号によって送信され、かつ前記送信したい通信パラメータ及び前記送信能力に応じた通信パラメータは、単一の制御信号により一度に送信される、ことを特徴とする。
【００２７】
また、請求項１３記載の発明は、請求項５、６、８、９の何れか１項に記載の発明において、相手機への通信パラメータの送信及び相手機からの通信パラメータの受信は、２４００ｂｐｓ以上の高速の通信速度で行われることを特徴とする。
【００２８】
また、請求項１４記載の発明は、請求項５又は８に記載の発明において、前記送信したい通信パラメータ及び前記受信能力に応じた通信パラメータに基づいて、相手機への前記画情報の送信が可能であるか否かを判断し、前記画情報の送信が不可能である場合に、相手機との通信を中止させる第１の制御手段を更に備えたことを特徴とする。
【００２９】
また、請求項１５記載の発明は、請求項６又は９に記載の発明において、前記送信したい通信パラメータ及び前記受信能力に応じた通信パラメータに基づいて、相手機からの前記画情報の受信が可能であるか否かを判断し、前記画情報の受信が不可能である場合、相手機との通信を中止させる第２の制御手段を更に備えたことを特徴とする。
【００３０】
更に、請求項１６記載の発明は、請求項６又は９に記載の発明において、前記送信したい通信パラメータ及び前記受信能力に応じた通信パラメータに基づいて、相手機からの前記画情報の受信が可能であるか否かを判断し、前記画情報の受信が不可能である場合、相手機から通信を中止させるための指示信号を相手機へ送信する第３の制御手段を更に備えたことを特徴とする。
【００３８】
【作用】
受信機では、請求項１記載の発明のように、第１の選択手段が、第１の画情報受信手段により画情報の直前で受信する予定のパラメータについては最適の通信パラメータの選択を行わず、第１の画情報受信手段により受信されたパラメータを最適の通信パラメータとして選択するようにすれば、無駄な選択処理を省き、かつ確実なネゴシエーションを行うことができる。
【００３９】
なお、送信したい通信パラメータについては、ファクシミリ通信開始前の操作員からの指示により予め決められた通信パラメータを適用する以外に、請求項２記載の発明のように決定手段をファクシミリ装置に備え、送信したい通信パラメータが該決定手段により、例えば読み取られた送信原稿の送信情報等に基づいて自動的に決定されるようにしても良い。このケースでは、上記第１の送信手段は、送信したい通信パラメータが決定されていない場合、予め定められた未決定時パラメータを送信しておき、決定手段により送信したい通信パラメータが決定された時点で、該送信したい通信パラメータの送信に切り換える。これにより、通信パラメータが決定するまでの時間をかせぐことができる。
【００４０】
また、送信したい通信パラメータで指示されていない能力についての通信パラメータは、請求項３記載の発明のように受信能力に応じた通信パラメータ群に設定されなくても良い。即ち、受信能力に応じた通信パラメータ群には、送信したい通信パラメータで指示された能力のみが設定され、該指示された能力のみに関する受信能力に応じた通信パラメータ群が第２の送信手段により相手機へ送信される。これにより、受信能力に応じた通信パラメータ群のデータ量を減らすことができ、ネゴシエーションにおける通信時間を更に短縮することができる。
【００４１】
次に、請求項４記載の発明では、送信機は送信したい通信パラメータ及び送信能力に応じた通信パラメータを受信機へ送信する。受信機は、送信したい通信パラメータ及び送信能力に応じた通信パラメータを受信すると、該送信したい通信パラメータ、該送信能力に応じた通信パラメータ及び該受信機が有する受信能力に応じた通信パラメータに基づいて最適の通信パラメータを選択し、該最適の通信パラメータを送信機へ送信する。そして、送信機は、該最適の通信パラメータを受信すると、受信した最適の通信パラメータに従って所定の画情報を受信機へ送信する。一方、受信機は前記最適の通信パラメータに従って所定の画情報を送信機から受信する。
【００４２】
このように、最初に送信機から送信したい通信パラメータ及び送信能力の通信パラメータを受信機へ通知するので、ネゴシエーションの対象を上記送信したい通信パラメータに絞りこみ、更に送信能力及び受信能力に照らし合わせて迅速にネゴシエーションを行うことができる。また、受信機は、送信したい通信パラメータに加え、送信能力に応じた通信パラメータも得ることができるので、該送信したい通信パラメータ、該送信能力に応じた通信パラメータ及び自機の受信能力に応じた通信パラメータに基づいて最適な通信パラメータを選択することができる。また、受信機が該最適な通信パラメータを送信機へ送信することにより、送信機は前記最適の通信パラメータに従って所定の画情報を受信機へ送信することができる。
【００４３】
上記請求項４に記載したファクシミリ通信方法を実現する送信側のファクシミリ装置（送信機）として、請求項５記載のファクシミリ装置を用いることができる。
【００４４】
即ち、請求項５記載の発明では、第３の送信手段は自機において送信したい通信パラメータ及び送信能力に応じた通信パラメータを相手機へ送信する。しかる後、第３の受信手段が相手機からの最適の通信パラメータを受信すると、第２の画情報送信手段は前記最適の通信パラメータに従って所定の画情報を相手機へ送信する。
【００４５】
一方、上記請求項４に記載したファクシミリ通信方法を実現する受信側のファクシミリ装置（受信機）として、請求項６記載のファクシミリ装置を用いることができる。
【００４６】
即ち、請求項６記載の発明では、第４の受信手段が相手機における送信したい通信パラメータ及び送信能力に応じた通信パラメータを受信すると、第２の選択手段は、該送信したい通信パラメータ、該送信能力に応じた通信パラメータ及び自機における受信能力に応じた通信パラメータに基づいて最適の通信パラメータを選択し、第４の送信手段は該最適の通信パラメータを相手機へ送信する。しかる後、相手機から所定の画情報が送信されてくると、第２の画情報受信手段は該最適の通信パラメータに従って所定の画情報を受信する。
【００４７】
ところで、前述した請求項４記載のファクシミリ通信方法と同様に、最初に送信機から送信したいパラメータ及び送信能力のパラメータを受信機へ通知することにより、ネゴシエーションに要する時間の短縮を図るファクシミリ通信方法の実施態様として、請求項７記載のファクシミリ通信方法がある。
【００４８】
請求項７記載の発明では、送信機は送信したい通信パラメータ及び送信能力に応じた通信パラメータを受信機へ送信する。受信機は該受信機が有する受信能力に応じた通信パラメータを送信機へ送信する。そして、送信機及び受信機の各々は送信したい通信パラメータ、送信能力に応じた通信パラメータ及び受信能力に応じた通信パラメータに基づいて最適の通信パラメータを選択する。しかる後、送信機は送信機で選択した最適の通信パラメータに従って所定の画情報を受信機へ送信し、一方の受信機は受信機で選択した最適の通信パラメータに従って所定の画情報を受信する。
【００４９】
このように、最初に送信機から送信したい通信パラメータ及び送信能力の通信パラメータを受信機へ通知するので、ネゴシエーションの対象を上記送信したい通信パラメータに絞りこみ、更に送信能力及び受信能力に照らし合わせて迅速にネゴシエーションを行うことができる。また、送信機と受信機の双方で、送信したい通信パラメータ、送信能力に応じた通信パラメータ及び受信能力に応じた通信パラメータを得ることができるので、送信機と受信機の各々において上記３つの通信パラメータに基づき、最適な通信パラメータを選択することができる。これにより、最適な通信パラメータの送受信が不要になる。
【００５０】
上記請求項７に記載したファクシミリ通信方法を実現する送信側のファクシミリ装置（送信機）として、請求項８記載のファクシミリ装置を用いることができる。
【００５１】
即ち、請求項８記載の発明では、第３の送信手段は自機において送信したい通信パラメータ及び送信能力に応じた通信パラメータを相手機へ送信する。しかる後、第１の受信手段が相手機における受信能力に応じた通信パラメータを受信すると、第２の選択手段は送信したい通信パラメータ、送信能力に応じた通信パラメータ及び受信能力に応じた通信パラメータに基づいて、最適の通信パラメータを選択し、第２の画情報送信手段は該最適の通信パラメータに従って所定の画情報を相手機へ送信する。
【００５２】
一方、上記請求項７に記載したファクシミリ通信方法を実現する受信側のファクシミリ装置（受信機）として、請求項９記載のファクシミリ装置を用いることができる。
【００５３】
即ち、請求項９記載の発明では、第４の受信手段が相手機における送信したい通信パラメータ及び送信能力に応じた通信パラメータを受信すると、第２の送信手段は自機における受信能力に応じた通信パラメータを相手機へ送信する。そして、第２の選択手段は送信したい通信パラメータ、送信能力に応じた通信パラメータ及び受信能力に応じた通信パラメータに基づいて、最適の通信パラメータを選択する。しかる後、相手機から所定の画情報が送信されてくると、第２の画情報受信手段は該最適の通信パラメータに従って所定の画情報を相手機から受信する。
【００５４】
なお、上述した請求項５又は請求項８記載の発明における送信したい通信パラメータについては、ファクシミリ通信開始前の操作員からの指示により予め決められた通信パラメータを適用する以外に、請求項１０記載の発明のように決定手段をファクシミリ装置に備え、送信したい通信パラメータが該決定手段により、例えば読み取られた送信原稿の送信情報等に基づいて自動的に決定されるようにしても良い。このケースでは、上記第３の送信手段は、送信したい通信パラメータが決定されていない場合、予め定められた未決定時パラメータを送信しておき、決定手段により送信したい通信パラメータが決定された時点で、該送信したい通信パラメータの送信に切り換える。これにより、通信パラメータが決定するまでの時間をかせぐことができる。
【００５５】
また、上述した請求項６又は請求項９記載の発明では、請求項１１記載の発明のように、第４の受信手段が相手機からの送信したい通信パラメータ及び送信能力に応じた通信パラメータを繰り返し受信し、第２の選択手段が送信したい通信パラメータ、送信能力に応じた通信パラメータ及び受信能力に応じた通信パラメータに基づいて、最適の通信パラメータを繰り返し選択し、第２の画情報受信手段が、第２の選択手段により最後に選択された最適の通信パラメータに従って所定の画情報を相手機から受信するようにしても良い。これにより、例えば、相手機（送信機）側で送信したい通信パラメータ等が変更され、該変更された送信したい通信パラメータ等が相手機から再送されてきた場合でも、最終的に変更されたパラメータに基づいて最適の通信パラメータが選択され、該最適の通信パラメータに従って画情報を受信することができる。
【００５６】
また、送信したい通信パラメータや送信能力に応じた通信パラメータ等の通信パラメータは、さまざまな伝達方法によって送受信することができる。請求項１２に記載したように、送信したい通信パラメータ及び送信能力に応じた通信パラメータの各々は、所定の伝搬機能を有する制御信号によって送信されても良い。この場合さらに、前記送信したい通信パラメータと送信能力に応じた通信パラメータとの両方が、単一の制御信号により一度に送信されるようにすることで、本来制御信号を２回送信するべき送信手順が簡素化され、ネゴシエーションに要する時間をさらに短縮することができる。
【００５７】
また、請求項１３に記載したように、相手機への通信パラメータの送信及び相手機からの通信パラメータの受信は、通常高速の通信速度とされる２４００ｂｐｓ以上の通信速度で行っても良い。従来ネゴシエーションにおける通信パラメータの送受信は、主に３００ｂｐｓの通信速度で実行されていたが、それより高速の２４００ｂｐｓ以上、例えば、２４００ｂｐｓ、４８００ｂｐｓ、９６００ｂｐｓ等の通信速度で行うことにより、ネゴシエーションにおける通信時間の短縮を図ることができる。
【００５８】
また、請求項１４記載の発明では、第１の制御手段は、送信したい通信パラメータ及び受信能力に応じた通信パラメータに基づいて、相手機への画情報の送信が可能であるか否かを判断する。画情報の送信が不可能である場合には、第１の制御手段は相手機との通信を中止させることができる。これにより、画情報の送信が不可能である場合には、画情報の送信側から速やかに通信を中止させることができる。
【００５９】
また、請求項１５記載の発明では、第２の制御手段は、送信したい通信パラメータ及び受信能力に応じた通信パラメータに基づいて、相手機からの画情報の受信が可能であるか否かを判断する。画情報の受信が不可能である場合には、第２の制御手段は相手機との通信を中止させることができる。これにより、画情報の受信が不可能である場合には、画情報の受信側から速やかに通信を中止させることができる。
【００６０】
また、請求項１６記載の発明では、第３の制御手段は、送信したい通信パラメータ及び受信能力に応じた通信パラメータに基づいて、相手機からの画情報の受信が可能であるか否かを判断する。画情報の受信が不可能である場合には、第３の制御手段は、相手機から通信を中止させるための指示信号を相手機へ送信し、相手機側から通信を中止させることができる。これにより、画情報の受信が不可能である場合には、画情報を送信する側、受信する側の双方で画情報の受信が不可能であることを認識することができ、速やかに通信を中止させることができる。
【００６１】
【実施例】
〔第１実施例〕
以下図面を参照して本発明の第１実施例を詳細に説明する。なお、以下の全ての実施例中で用いた各種パラメータ等の数値は、一例として示したものであり、発明の内容を限定するものではない。
図１に本実施例のファクシミリ装置１０全体の構成図を示す。このファクシミリ装置１０は、該ファクシミリ装置１０全体の制御処理を行うＣＰＵ１２、制御プログラム実行時に使用するワークエリアとしてのＲＡＭ１６、ファクシミリ装置１０を操作するための表示及び操作スイッチが設けられた操作表示装置２０、送信原稿を読取る読取装置２２、受信画像等を印刷して出力する印字装置２４、符合化・復合化・拡大・縮小等の画像処理を行う画像処理装置２６、送信する画情報または受信した画情報を格納する画像蓄積装置２８、ファクシミリ装置１０全体を制御するプログラムを記憶したＲＯＭで構成されたシステム制御部１４、ディジタル網（例えば、ＩＳＤＮ網）に適した通信（例えば、Ｇ４）を制御するためのプログラムを記憶したＲＯＭから構成された第１の通信制御部３０、アナログ網（例えば、公衆電話回線網）に適した通信（例えば、Ｇ３）を制御するためのプログラムを記憶したＲＯＭから構成された第２の通信制御部３２、ディジタル網へ接続するためのディジタル網制御装置３８、及び切換えによって複数の外部回線インターフェースと複数の内部通信回路とを接続するための回線切換え制御装置３６を備えており、これらはシステムバス１８により相互に接続されている。
【００６２】
また、第１の通信制御部３０は直接回線切換え制御装置３６と相互に接続され、第２の通信制御部３２は低速モードと高速モードとを備えたモデム（変復調装置）３４を介して回線切換え制御装置３６と相互に接続されている。そして、回線切換え制御装置３６は、ディジタル網制御装置３８及びアナログ網制御装置４０と相互に接続されている。
【００６３】
上記の構成のファクシミリ装置１０は、上記と同一の構成のファクシミリ装置、アナログ網にのみ接続可能なファクシミリ装置、ディジタル網にのみ接続可能なファクシミリ装置等の相手機と回線を介して接続される。このファクシミリ装置１０をアナログ網にのみ接続する場合には、第１の通信制御部３０及びディジタル網制御装置３８を省略することができ、また、ディジタル網にのみ接続する場合には、第２の通信制御部３２、モデム３４及びアナログ網制御装置４０を省略することができる。
【００６４】
以下、本第１実施例の作用を説明する。なお、本発明はネゴシエーションに関する技術を対象としているため、以下に記述する作用では、短縮プロトコルに移行した後のネゴシエーションの制御手順の部分のみを詳細に説明する。
【００６５】
なお、送信局からの送信指示の内容は一例として以下の通りとする。解像度は４００ppi ×４００ppi （送信可能な解像度は、４００ppi ×４００ppi 、８dot ×７．７line/mm 、８dot ×３．８５line/mm ）。原稿サイズはＡ３（送信可能な原稿サイズはＡ３、Ｂ４、Ａ４）。符号化方式はＭＭＲ（送信可能な符号化方式はＭＭＲ、ＭＲ、ＭＨ）。親展通信についてはボックスNo.1の親展ボックスへの親展送信を指示したものとする。
【００６６】
また、受信機の受信能力は一例として以下の通りとする。解像度は３００ppi ×３００ppi 、８dot ×７．７line/mm 、８dot ×３．８５line/mm の何れかが可能である。原稿サイズはＢ４、Ａ４の何れかが可能である。符号化方式はＭＲ、ＭＨの何れかが可能である。親展通信についてはボックスNo.1の親展ボックスが開設されており、親展受信可能である。
【００６７】
まず、図２〜図５を参照して送信側のファクシミリ装置（以下、「送信機」と称す）により実行されるネゴシエーションの制御手順について説明する。
【００６８】
図２のステップ１０２では送信指示パラメータが設定されたＮＳＳを作成し、次のステップ１０５で通信速度を示した信号を、受信側のファクシミリ装置（以下、「受信機」と称す）に送信した後、次のステップ１０６では上記ＮＳＳを９６００ｂｐｓの高速な通信速度で受信機へ送信する。（以下、ＮＳＳを高速な通信速度で送信することを、便宜上「高速ＮＳＳを送信する」という表現で記述する。「高速ＮＳＦ」、「高速ＮＳＣ」、「低速ＤＣＮ」という表現も同様である。）
なお、以下の全ての実施例では、送信機と受信機との間で送受信される各種制御信号として、上記のＮＳＳやＮＳＦ等のような、複雑な操作手順が実現可能なバイナリー符号信号方式の制御信号を用いた例を示す。
【００６９】
また、通信速度は、９６００ｂｐｓ以外の高速な通信速度、例えば７２００ｂｐｓ、４８００ｂｐｓ、２４００ｂｐｓ等であっても良く、３００ｂｐｓ程度の低速な通信速度であっても良い。但し、高速な通信速度の場合の方が、信号の送受信に要する時間が短縮されるという利点がある。
【００７０】
次のステップ１０８では受信機から所定のレスポンス信号を受信したか否かを判定する。所定のレスポンス信号を受信していない場合はステップ１１０へ進み、極性反転の検知を行う。極性反転を検知した場合にはステップ１１４で初期値の伝送速度をセットし直し、極性反転を検知しない場合にはステップ１１２でフォールバックパラメータをセットしてステップ１０５へ戻る。
【００７１】
一方、ステップ１０８で所定のレスポンス信号を受信した場合はステップ１１６で、受信機が有する受信能力に応じた通信パラメータ（以下、受信能力パラメータと称す）が設定された高速ＮＳＦを受信したか否かを判定し、高速ＮＳＦを受信していない場合はステップ１１８へ進み、短縮プロトコルによる送信を中止し通常の送信を行う。なお、上記受信能力パラメータは、受信機が有する受信能力に応じた全ての通信パラメータであっても、受信機が有する受信能力に応じた特定の（一部の）通信パラメータであっても良い。高速ＮＳＦを受信した場合は、後述するステップ１２０の解像度チェックのサブルーチン（図３）、ステップ１２２のサイズチェックのサブルーチン（図４）、ステップ１２４の符号化方式チェックのサブルーチン（図５）を順に実行し、上記高速ＮＳＦに設定された受信機の受信能力パラメータ及び送信機の送信指示パラメータに基づいて解像度、サイズ、符号化方式の各々に関する送信パラメータを決定する。
【００７２】
次のステップ１２６では前述した送信指示パラメータの中で親展送信を指示したか否かを判定し、親展送信を指示していない場合は後述するステップ１３４へ進む。本第１実施例ではボックスNo.1の親展ボックスへの親展送信を指示しているので、ステップ１２８へ進み受信したＮＳＦの内容から受信機の親展受信能力をチェックし、次のステップ１３０では受信機の親展受信能力の有無を判定する。受信機に親展受信能力が無い場合は、親展通信を行うことができないので、ステップ１３２へ進み低速ＤＣＮを受信機へ送信した後、通信を中止させる。
【００７３】
なお、本第１実施例では受信機はボックスNo.1の親展ボックスが開設されており、親展受信可能であるので、送信機から親展指示したボックスNo.1の親展ボックスへの親展送信が実行可能であると判断することができる。従って、ステップ１３４へ進み前述した解像度、サイズ、符号化方式及び親展通信に関する送信パラメータ以外の送信パラメータを決定し、次のステップ１３６では決定した送信パラメータの全てを第１フレーム（フレーム０）に設定して受信機へ送信する。そして、次のステップ１３８、１４０で所定の画情報の全てをフレーム１以降に入れて受信機へ送信する。画情報の全てを送信し終えるとステップ１４２でＲＣＰにポストメッセージコマンドの内容を入れて受信機へ送信し、それ以降は従来の短縮プロトコル手順と同様の処理を行う（ステップ１４４）。
【００７４】
次に、図３を用いて前述したステップ１２０の解像度チェックのサブルーチンを説明する。ステップ３００では送信機が指示した解像度をチェックする。
【００７５】
前述した送信指示内容の例のように、送信機が指示した解像度が４００ppi ×４００ppi の場合（ステップ３０２で肯定判定）、ステップ３０３へ進み受信機の解像度の受信能力をチェックする。受信機の解像度の受信能力も４００ppi ×４００ppi の場合は（ステップ３０６で肯定判定）、ステップ３０８へ進み画情報の解像度を４００ppi ×４００ppi と決定するが、前述した受信機の受信能力の例のように、受信機の解像度の受信能力が８dot ×７．７line/mm の場合（ステップ３２２で肯定判定）、ステップ３２４へ進み画情報の解像度を８dot ×７．７line/mm と決定する。上述したような手順に従って、送信機からの送信指示内容と受信機の受信能力との共通の解像度で最も送信指示内容（４００ppi ×４００ppi ）に近い解像度である８dot ×７．７line/mm に決定される。
【００７６】
なお、受信機の解像度の受信能力が４００ppi ×４００ppi 、８dot ×７．７line/mm の何れでもない場合には（ステップ３２２で否定判定）、ステップ３２６へ進み画情報の解像度を８dot ×３．８５line/mm と決定する。
【００７７】
また、送信機が指示した解像度が８dot ×７．７line/mm の場合（ステップ３１８で肯定判定）、ステップ３１９へ進み受信機の解像度の受信能力をチェックし、受信機の解像度の受信能力も８dot ×７．７line/mm の場合（ステップ３２２で肯定判定）、ステップ３２４へ進み画情報の解像度を８dot ×７．７line/mm と決定する。また、受信機の解像度の受信能力が８dot ×７．７line/mm ではない場合（ステップ３２２で否定判定）、ステップ３２６へ進み画情報の解像度を８dot ×３．８５line/mm と決定する。
【００７８】
また、送信機が指示した解像度が８dot ×３．８５line/mm の場合（ステップ３１８で否定判定）、ステップ３２６へ進み画情報の解像度を８dot ×３．８５line/mm と決定する。
【００７９】
次に、図４を用いて前述したステップ１２２のサイズチェックのサブルーチンを説明する。ステップ３５０では送信機が指示した記録紙サイズをチェックする。
【００８０】
前述した送信指示内容の例のように、送信機が指示した記録紙サイズがＡ３の場合（ステップ３５２で肯定判定）、ステップ３５４へ進み受信機の記録紙の受信能力をチェックし、受信機の記録紙の受信能力もＡ３の場合には（ステップ３５６で肯定判定）、ステップ３５８へ進み画情報のサイズをＡ３と決定するが、前述した受信機の受信能力の例のように、受信機の記録紙の受信能力がＢ４の場合（ステップ３６４で肯定判定）、ステップ３６６へ進み画情報のサイズをＢ４と決定する。上述したような手順に従って、送信機からの送信指示内容と受信機の受信能力との共通のサイズで最も送信指示内容（Ａ３）に近いサイズであるＢ４に決定される。
【００８１】
なお、受信機の記録紙の受信能力がＡ３、Ｂ４の何れでもない場合（ステップ３６４で否定判定）、ステップ３６８へ進み画情報のサイズをＡ４と決定する。
【００８２】
また、送信機が指示した記録紙サイズがＢ４の場合（ステップ３６０で肯定判定）、ステップ３６２へ進み受信機の記録紙の受信能力をチェックし、受信機の記録紙の受信能力もＢ４の場合（ステップ３６４で肯定判定）、ステップ３６６へ進み画情報のサイズをＢ４と決定する。また、受信機の記録紙サイズの受信能力がＢ４ではない場合（ステップ３６４で否定判定）、ステップ３６８へ進み画情報のサイズをＡ４と決定する。
【００８３】
また、送信機が指示した記録紙サイズがＡ４の場合（ステップ３６０で否定判定）、ステップ３６８へ進み画情報のサイズをＡ４と決定する。
【００８４】
次に、図５を用いて前述したステップ１２４の符号化方式チェックのサブルーチンを説明する。ステップ４００では送信機が指示した符号化方式をチェックする。
【００８５】
前述した送信指示内容の例のように、送信機が指示した符号化方式がＭＭＲの場合（ステップ４０２で肯定判定）、ステップ４０４へ進み受信機の符号化方式の受信能力をチェックし、受信機の符号化方式の受信能力もＭＭＲの場合には（ステップ４０６で肯定判定）、ステップ４０８へ進み画情報の符号化方式をＭＭＲと決定するが、前述した受信機の受信能力の例のように、受信機の符号化方式の受信能力がＭＲの場合（ステップ４１４で肯定判定）、ステップ４１６へ進み画情報の符号化方式をＭＲと決定する。上述したような手順に従って、送信機からの送信指示内容と受信機の受信能力との共通の符号化方式で最も送信指示内容（ＭＭＲ）に近い符号化方式であるＭＲに決定される。
【００８６】
なお、受信機の符号化方式の受信能力がＭＭＲ、ＭＲの何れでもない場合（ステップ４１４で否定判定）、ステップ４１８へ進み画情報の符号化方式をＭＨと決定する。
【００８７】
また、送信機が指示した記録紙符号化方式がＭＲの場合（ステップ４１０で肯定判定）、ステップ４１２へ進み受信機の符号化方式の受信能力をチェックし、受信機の符号化方式の受信能力もＭＲの場合（ステップ４１４で肯定判定）、ステップ４１６へ進み画情報の符号化方式をＭＲと決定する。また、受信機の記録紙符号化方式の受信能力がＭＲではない場合（ステップ４１４で否定判定）、ステップ４１８へ進み画情報の符号化方式をＭＨと決定する。
【００８８】
また、送信機が指示した記録紙符号化方式がＭＨの場合（ステップ４１０で否定判定）、ステップ４１８へ進み画情報の符号化方式をＭＨと決定する。
【００８９】
次に、図６及び図７を参照して受信機により実行されるネゴシエーションの制御手順について説明する。
【００９０】
図６のステップ２００では上記ステップ１０５で送信機から送信された、通信速度を示した信号を受信したか否かを判定し、通信速度を示した信号を受信したと判定されると、ステップ２０２へ進み上記ステップ１０５で送信された高速ＮＳＳを受信したか否かを判定する。
【００９１】
高速ＮＳＳが受信されないときは、ステップ２０４で高速ＮＳＣが受信されたか否かを判定し、受信されない場合はステップ２０２へ戻り、受信された場合はステップ２０６でホールドか否かを判断し、ホールドでない場合はステップ２０９でエラー終了処理を行い、ホールドの場合はステップ２０８で従来からの送信側フェーズＢの処理へ移行する。
【００９２】
一方、ステップ２０２で高速ＮＳＳが受信されると、ステップ２１０で送信パラメータがフレーム０に設定されているか否かを判定し、送信パラメータが設定されている場合は後述するステップ２１７へ進む。一方、送信パラメータが設定されていない場合は、ステップ２１２で解像度チェックのサブルーチンを、その次のステップ２１４でサイズチェックのサブルーチンを、更に次のステップ２１６で符号化方式チェックのサブルーチンを、それぞれ実行し、画情報の受信の際の解像度、記録紙サイズ及び符号化方式に関する受信パラメータを決定する。なお、ステップ２１２の解像度チェックのサブルーチン、ステップ２１４のサイズチェックのサブルーチン、及びステップ２１６の符号化方式チェックのサブルーチンは各々、既に図３、４、５を用いて説明した処理内容と同様であるため説明は省略する。
【００９３】
次のステップ２１７では送信機から親展通信を指示された（即ち、送信指示パラメータの中に親展指示の内容が含まれていた）か否かを判定し、親展指示されていない場合はステップ２２０で親展指示されなかったことをＲＡＭ１６に一時記憶した後、後述するステップ２２４へ進む。一方、親展指示された場合はステップ２１８で親展指示の内容をチェックし、次のステップ２２２では親展指示の内容に対して親展受信可能であるか否かを判定する。親展受信不可能と判定された場合は受信機側から通信を中止させる。
【００９４】
一方、ステップ２２２で親展受信可能であると判定された場合はステップ２２４で、前述したサイズ、符号化方式及び親展通信に関する受信パラメータ以外の受信パラメータを決定し、次のステップ２２６では受信能力パラメータが設定されたＮＳＦを作成する。そして、次のステップ２２８で送信機へレスポンス信号を送信した後、その次のステップ２３０で高速ＮＳＦを送信機へ送信する。
【００９５】
次のステップ２３２では送信機から再送された高速ＮＳＳを受信したか否かを判定し、再送された高速ＮＳＳを受信した場合は、ステップ２１０へ戻り、再送された高速ＮＳＳの内容に従ってステップ２１０以降の処理を実行する。
【００９６】
一方、ステップ２３２で高速ＮＳＳを受信していない場合は、ステップ２３４でＦＣＤフレームを受信したか否かを判定する。ＦＣＤフレームを受信しない場合、即ち画情報の受信が終了しファクシミリインフォメーションフィールド（ＦＩＦ）にポストメッセージコマンドに該当する内容が設定されたＲＣＰが受信された場合には、ステップ２４４でＲＣＰのポストメッセージコマンドの内容を解析し、その後、後続の処理を実行する（ステップ２４６）。
【００９７】
ステップ２３４でＦＣＤフレームを受信した場合には、ステップ２３６でフレーム０に入ったＮＳＳの情報を受信したか否かを判定し、受信した場合にはステップ２３８でＮＳＳの情報を解析し、その後ステップ２３４へ戻る。受信しない場合には受信した画情報を画像蓄積装置２８に蓄積した後、ステップ２４２でフレーム受信終了か否かを判定し、フレーム受信終了でない場合はステップ２３４へ戻る。フレーム受信終了すると、後続の処理を実行する（ステップ２４６）。
【００９８】
以上の説明より、本第１実施例によれば、最初に送信機から送信したいパラメータを受信機へ通知するので、ネゴシエーションの対象を上記送信したいパラメータに絞りこみ、受信能力と照らし合わせて迅速にネゴシエーションを実行することができる。これにより、ネゴシエーションに要する時間を短縮することができる。
【００９９】
なお、本第１実施例では、送信指示パラメータが設定された制御信号にＮＳＳを、受信能力パラメータが設定された制御信号にＮＳＦを、それぞれ使用する例を示したが、本発明はこれに限定されるものではなく、上記の制御信号にはユニークなコマンドを使用しても良い。
【０１００】
また、本第１実施例では、送信機において図２のステップ１２８、１３０で受信機の親展受信能力のチェック及び受信機の親展受信能力の有無判定を行い、受信機に親展受信能力が無い場合はステップ１３２で低速ＤＣＮを受信機へ送信した後、送信機側から通信を中止させる。即ち、画情報の送信が不可能である場合には、送信機側から速やかに通信を中止させることができる。
【０１０１】
また、本第１実施例では、受信機において図６のステップ２１８、２２２で親展指示の内容チェック及び親展受信の可・不可の判定を行い、親展受信不可能の場合は受信機側から通信を中止させる。即ち、画情報の受信が不可能である場合には、受信機側から速やかに通信を中止させることができる。
【０１０２】
また、本第１実施例の受信機側で実行される図６のステップ２２２で親展受信不可能と判定された場合には、親展受信不可能との旨の信号を送信機へ送信し、送信機側に認識させると共に、送信機側から通信を中止させるようにしても良い。このようにすれば、画情報の受信が不可能である場合には、送信機と受信機の双方で、画情報の受信が不可能であるとの判断結果を認識することができ、送信機側から速やかに通信を中止させることができる。
【０１０３】
〔第２実施例〕
次に、本発明の第２実施例を説明する。本第２実施例に係るファクシミリ装置の構成は、先に説明した図１と同一であるので、説明を省略し、以下、本第２実施例の作用について、第１実施例と異なる部分のみ説明する。なお、第１実施例と同一の部分には同一の符号を付している。
【０１０４】
本第２実施例では、送信機において送信指示パラメータが未決定の場合、送信機は予め定められた未決定時送信パラメータが設定されたＮＳＳを受信機へ送信する。その未決定時送信パラメータは一例として以下の通りとする。解像度は８dot ×３．８５line/mm 。原稿サイズはＡ４。符号化方式はＭＨ。親展通信についてはボックスNo.1の親展ボックスへの親展送信を指示するものとする。
【０１０５】
また、送信機で決定された送信指示の内容、及び受信機の受信能力は、第１実施例において例示した数値と同一とする。
【０１０６】
図８に示す送信機側のネゴシエーションの制御手順において、送信短縮プロトコルへ移行直後のステップ１００において送信指示パラメータが決定したか否かの判定を行う。送信指示パラメータが決定していない場合、ステップ１０１において上記の未決定時送信パラメータが設定されたＮＳＳを作成し、ステップ１０５へ進む。ステップ１０５で通信速度を示した信号を送信した後に、ステップ１０６では上記の未決定時送信パラメータが設定されたＮＳＳを受信機へ送信する。そして、次のステップ１０８で受信機からレスポンス信号を受信した後に、ステップ１１６の高速ＮＳＦの受信判定を行う。
【０１０７】
受信機側が短縮プロトコルを実行できない機種である等により高速ＮＳＦを受信しなかった場合、ステップ１１８へ進み、速やかに通常通信へ切り換える。
【０１０８】
一方、ステップ１１６で高速ＮＳＦが受信された場合、ステップ１１７で送信指示パラメータが決定したか否かの判定を再度行い、送信指示パラメータが決定していない場合には、ステップ１１９で送信指示パラメータ決定のための所定時間が経過しタイムアウトとなったか否かを判定する。タイムアウトとなっていなければステップ１０１へ戻り、タイムアウトとなった場合にはステップ１３２で低速ＤＣＮを受信機へ送信した後、通信を終了する。
【０１０９】
一方の受信機側では、図６のステップ２０２で未決定時送信パラメータが設定されたＮＳＳを受信した場合には、ステップ２１２〜２２４で未決定時送信パラメータ及び受信能力パラメータに基づいて、第１実施例で説明した手順に沿って受信パラメータが決定される。なお、前述した未決定時送信パラメータの内容は全て受信能力の範囲内（受信可能）であるため、受信パラメータとして、未決定時送信パラメータの内容と同じ、解像度：８dot ×３．８５line/mm 、原稿サイズ：Ａ４、符号化方式：ＭＨ、親展通信：ボックスNo.1の親展ボックスへの親展送信という内容で一旦決定される。
【０１１０】
しかし、送信機側で送信指示パラメータが決定され、送信機からの送信指示パラメータが設定された高速ＮＳＳを受信すると、ステップ２３２で肯定されてステップ２１０へ戻る。そして、ステップ２１２〜２２４では、受信した送信指示パラメータ及び受信能力パラメータに基づいて、第１実施例で説明した手順に沿って改めて受信パラメータが決定されることになる。
【０１１１】
以上のように本第２実施例によれば、送信機において送信指示パラメータが決定する前に、受信機への高速ＮＳＳの送信及び受信機からの高速ＮＳＦの受信判定を行い、基本的なネゴシエーションを実行することができる。特に、受信機側が短縮プロトコルを実行できない機種である等により送信機では高速ＮＳＦを受信しなかった場合には、速やかに通常通信へ切り換えることができ、通信時間をより短縮することができる。
【０１１２】
また、送信機において送信指示パラメータ決定のための所定時間以内に送信指示パラメータが決定しなかった場合に、何らかのエラーが発生したとみなし、通信を終了させることができ、無駄な通信の待ち時間を削減することができる。
【０１１３】
〔第３実施例〕
次に、本発明の第３実施例を説明する。本第３実施例に係るファクシミリ装置の構成は、先に説明した図１と同一であるので、説明を省略し、以下、本第３実施例の作用について、第１実施例と異なる部分のみ説明する。
【０１１４】
本第３実施例では、図６に示す受信機側のネゴシエーションの制御手順のステップ２２６において、受信能力パラメータが設定されたＮＳＦを作成する際に、先のステップ２２０で親展指示されなかったことがＲＡＭ１６に記憶されているか否かをチェックし、親展指示されていなければ、図９（Ａ）に示すようにＮＳＦ７０を構成するＦＩＦの長さを１バイト減らすものとする。
【０１１５】
即ち、通常のＮＳＦは図９（Ｂ）に示すようにＮＳＦ８０を構成するＦＩＦの８バイト目の最終ビット（矢印Ｃで示すビット）をオンして親展通信能力が有ることを示す。また、ＦＩＦの８バイト目の他のビットは特に使用されていない。従って、送信機から親展指示されていなければ、親展通信能力の有無をＮＳＦに設定する必要は無いので、ＦＩＦの８バイト目を削除することができる。
【０１１６】
以上のように本第３実施例によれば、送信機から指示されていない親展通信については、親展受信能力をＮＳＦに設定しないようにしてＮＳＦを作成し、送信機へ送信するので、通信される情報量が減り、通信時間をより短縮することができる。
【０１１７】
〔第４実施例〕
次に、本発明の第４実施例を説明する。本第４実施例に係るファクシミリ装置の構成は、先に説明した図１と同一であるので、説明を省略し、以下、本第４実施例の作用について、第１実施例と異なる部分のみ説明する。
【０１１８】
なお、実施例中で用いる送信機からの送信指示パラメータ及び受信機の受信能力パラメータは第１実施例の数値と同一とし、送信機が有する送信能力に応じた通信パラメータ（以下、送信能力パラメータと称す）は一例として以下の通りとする。解像度は４００ppi ×４００ppi 、８dot ×７．７line/mm 、８dot ×３．８５line/mm の何れかが可能である。原稿サイズはＡ３、Ｂ４、Ａ４の何れかが可能である。符号化方式はＭＭＲ、ＭＲ、ＭＨの何れかが可能である。なお、上記送信能力パラメータは、送信機が有する送信能力に応じた全ての通信パラメータであっても、送信機が有する送信能力に応じた特定の（一部の）通信パラメータであっても良い。
【０１１９】
本第４実施例では、図１０に示す送信機側のネゴシエーションの制御手順において送信短縮プロトコルへ移行直後にステップ１０３で送信指示パラメータが設定されたＮＳＳのみならず、送信能力パラメータが設定されたＮＳＦも作成する。なお、制御信号としてはＮＳＳやＮＳＦに限定されるものではなく、送信指示パラメータと送信能力パラメータとの両方を設定することのできる単一のユニークなコマンドを使用しても良い。そして、次のステップ１０５で通信速度を示した信号を受信機へ送信した後、ステップ１０７では上記作成した高速ＮＳＳとＮＳＦを受信機へ送信する。
【０１２０】
一方、受信機は、図１４のステップ２０１で上記高速ＮＳＳとＮＳＦを受信すると、受信したＮＳＳに設定された送信指示パラメータ、ＮＳＦに設定された送信能力パラメータ、及び受信能力パラメータに基づいて、ステップ２１１で解像度チェック２のサブルーチン、ステップ２１３でサイズチェック２のサブルーチン、ステップ２１５で符号化方式チェック２のサブルーチンを順に実行し、各々解像度、サイズ、符号化方式を決定する。
【０１２１】
ここで、ステップ２１１の解像度チェック２では、図１１に示すように既に説明した解像度チェックのサブルーチン（図３）と異なり、まずステップ３００、３０２、３１０、３１８で送信機が指示した解像度を判定した後、該解像度に応じてステップ３０４、３１２、３２０へ進み、送信機の送信能力と受信機の受信能力とで共通な解像度を抽出する。そして、抽出された共通な解像度が４００ppi ×４００ppi 、３００ppi ×３００ppi 、８dot ×７．７line/mm の何れであるかをステップ３０６、３１４、３２２で判定し、その判定結果に応じて進むステップ３０８、３１６、３２４、３２６で画情報の解像度を決定する。
【０１２２】
本第４実施例では、送信機が指示した解像度は４００ppi ×４００ppi であるので、ステップ３０２で肯定されてステップ３０４へ進み、送信機の送信能力と受信機の受信能力とで共通な解像度として、８dot ×７．７line/mm 及び８dot ×３．８５line/mm を抽出する。これにより、ステップ３０６、３１４で否定判定された後、ステップ３２２で肯定判定されステップ３２４で画情報の解像度を８dot ×７．７line/mm と決定する。即ち、送信機の送信能力と受信機の受信能力との共通の解像度で最も送信指示内容（４００ppi ×４００ppi ）に近い解像度である８dot ×７．７line/mm に決定される。
【０１２３】
また、ステップ２１３のサイズチェック２では、図１２に示すように既に説明したサイズチェックのサブルーチン（図４）と異なり、まずステップ３５０、３５２、３６０で送信機が指示した記録紙サイズを判定した後、該サイズに応じてステップ３５３、３６１へ進み、送信機の送信能力と受信機の受信能力とで共通な記録紙サイズを抽出する。そして、抽出された共通な記録紙サイズがＡ３、Ｂ４の何れであるかをステップ３５６、３６４で判定し、その判定結果に応じて進むステップ３５８、３６６、３６８で画情報のサイズを決定する。
【０１２４】
本第４実施例では、送信機が指示した記録紙サイズはＡ３であるので、ステップ３５２で肯定されてステップ３５３へ進み、送信機の送信能力と受信機の受信能力とで共通な記録紙サイズとして、Ｂ４及びＡ４を抽出する。これにより、ステップ３５６で否定判定された後、ステップ３６４で肯定判定されステップ３６６で画情報のサイズをＢ４と決定する。即ち、送信機の送信能力と受信機の受信能力との共通のサイズで最も送信指示内容（Ａ３）に近いサイズであるＢ４に決定される。
【０１２５】
また、ステップ２１５の符号化方式チェック２では、図１３に示すように既に説明した符号化方式チェックのサブルーチン（図５）と異なり、まずステップ４００、４０２、４１０で送信機が指示した符号化方式を判定した後、該符号化方式に応じてステップ４０３、４１１へ進み、送信機の送信能力と受信機の受信能力とで共通な符号化方式を抽出する。そして、抽出された共通な符号化方式がＭＭＲ、ＭＲの何れであるかをステップ４０６、４１４で判定し、その判定結果に応じて進むステップ４０８、４１６、４１８で画情報の符号化方式を決定する。
【０１２６】
本第４実施例では、送信機が指示した符号化方式はＭＭＲであるので、ステップ４０２で肯定されてステップ４０３へ進み、送信機の送信能力と受信機の受信能力とで共通な符号化方式として、ＭＲ及びＭＨを抽出する。これにより、ステップ４０６で否定判定された後、ステップ４１４で肯定判定されステップ４１６で画情報の符号化方式をＭＲと決定する。即ち、送信機の送信能力と受信機の受信能力との共通の符号化方式で最も送信指示内容（ＭＭＲ）に近い符号化方式であるＭＲに決定される。
【０１２７】
なお、送信機から高速ＮＳＳ及びＮＳＦが再送されてきた場合には、ステップ２３３で肯定判定されてステップ２０１へ戻り、再送された高速ＮＳＳに設定された送信指示パラメータ及びＮＳＦに設定された送信能力パラメータに基づいて、再度上記の解像度、記録紙サイズ、符号化方式等の受信パラメータの選択処理を行う。これにより、送信機側で送信したいパラメータ等に変更が生じても、最終的に変更されたパラメータに基づいて最適の通信パラメータを選択することができる。
【０１２８】
一方、送信機も、受信機から受信能力パラメータが設定された高速ＮＳＦを受信すると（ステップ１１６）、送信指示パラメータ、送信能力パラメータ及び受信したＮＳＦに設定された受信能力パラメータに基づいて、ステップ１２１で上記の解像度チェック２のサブルーチン、ステップ１２３で上記のサイズチェック２のサブルーチン、ステップ１２５で上記の符号化方式チェック２のサブルーチンを順に実行し、各々解像度、サイズ、符号化方式を決定する。上記３つのパラメータ決定の処理は、既に述べた受信機における処理（ステップ２１１、２１３、２１５）と同様であるので説明を省略する。
【０１２９】
以上の説明から明らかなように、本第４実施例では受信機及び送信機の各々において受信及び送信のパラメータを決定するので、例えば送信機側で送信パラメータを決定し、決定したパラメータを画情報の直前のフレーム０に設定して受信機へ送信する等の手順を行う必要はない。
【０１３０】
即ち、送信機では図１０に示すようにステップ１３４の他のパラメータの決定の後、決定したパラメータを画情報の直前のフレーム０に設定して受信機へ送信することなく、ステップ１３８の画情報の送信を行う。これに伴い、受信機では図１５に示すようにステップ２３４でＦＣＤフレームを受信した場合に、フレーム０に入ったＮＳＳを受信したか否かの判定及び受信した場合の該ＮＳＳの解析を行うことなく、ステップ２４０へ進み受信した画情報の蓄積を行う。
【０１３１】
以上のように本第４実施例によれば、決定したパラメータの通信を行わないので、通信される情報量を減らすことができ、ネゴシエーションに要する時間をより短縮することができる。
【０１３２】
なお、前述した第２実施例のように送信機側で送信指示パラメータが決定していない場合、上記ステップ１０３では予め定められた未決定時送信パラメータが設定されたＮＳＳを作成することができる。即ち、図１６のフローチャートのように、ステップ１０１において上記の未決定時送信パラメータが設定されたＮＳＳを作成し、ステップ１０４へ進んで送信能力パラメータが設定されたＮＳＦを作成する。次のステップ１０５で通信速度を示した信号を送信した後に、ステップ１０７では上記の未決定時送信パラメータが設定されたＮＳＳ及び送信能力パラメータが設定されたＮＳＦを受信機へ送信する。そして、次のステップ１０８で受信機からレスポンス信号を受信した後に、ステップ１１６の高速ＮＳＦの受信判定を行う。ここで、受信機側が短縮プロトコルを実行できない機種である等により高速ＮＳＦを受信しなかった場合、ステップ１１８へ進み通常通信へ切り換えることができる。
【０１３３】
これにより、送信機において送信指示パラメータが決定する前に、受信機への高速ＮＳＳ及びＮＳＦの送信及び受信機からの高速ＮＳＦの受信判定を行い、基本的なネゴシエーションを実行することができる。特に、受信機側が短縮プロトコルを実行できない機種である等により送信機で高速ＮＳＦを受信しなかった場合には、早急に通常通信へ切り換えることができ、通信時間をより短縮することができる。
【０１３４】
また、ステップ１１６で高速ＮＳＦが受信された場合、ステップ１１７で送信指示パラメータが決定したか否かの判定を再度行い、送信指示パラメータが決定していない場合には、ステップ１１９で送信指示パラメータ決定のための所定時間のタイムアウト判定されると、ステップ１３２で低速ＤＣＮを受信機へ送信した後、通信を終了する。
【０１３５】
これにより、送信機において送信指示パラメータ決定のための所定時間以内に送信指示パラメータが決定しなかった場合に、何らかのエラーが発生したとみなし、通信を終了させることができ、無駄な通信の待ち時間を削減することができる。
【０１３６】
〔第５実施例〕
次に、本発明の第５実施例を説明する。本第５実施例に係るファクシミリ装置の構成は、先に説明した図１と同一であるので、説明を省略し、以下、本第５実施例の作用について、第４実施例と異なる部分のみ説明する。
【０１３７】
本第５実施例の受信機は図１７に示すように、ステップ２２４で他の受信パラメータを決定した後、ステップ２２７へ進み、受信能力パラメータではなく、決定した全ての受信パラメータが設定されたＮＳＦを作成する。そして、次のステップ２２８でレスポンス信号を送信した後、ステップ２３０で上記受信パラメータが設定された高速ＮＳＦを送信機へ送信する。
【０１３８】
一方、送信機は図１８に示すように、ステップ１１６で受信機からの高速ＮＳＦを受信した場合、次のステップ１１７では受信したＮＳＦに設定されたパラメータを送信パラメータとして決定する。即ち、送信機では送信パラメータを決定するための解像度チェックやサイズチェック等の処理を行わず、受信機が決定したパラメータを送信パラメータとして決定する。
【０１３９】
以上のように本第５実施例によれば、通信パラメータを送信機、受信機の各々で決定する必要はなく、送信機側の処理を軽減することができる。従って、送信機の処理能力が受信機の処理能力に比べてかなり低い場合等には、ネゴシエーションに要する処理時間を短縮するために有効である。
【０１４２】
請求項１記載の発明によれば、無駄な選択処理を省き、かつ確実なネゴシエーションを行うことができる、という効果が得られる。
【０１４３】
請求項２記載の発明によれば、通信パラメータが決定するまでの時間をかせぐことができる、という効果が得られる。
【０１４４】
請求項３記載の発明によれば、受信能力に応じた通信パラメータ群のデータ量を減らすことができ、ネゴシエーションにおける通信時間を更に短縮することができる、という効果が得られる。
【０１４５】
請求項４乃至６に記載された発明によれば、最初に送信機から送信したい通信パラメータ及び送信能力の通信パラメータを受信機へ通知するので、ネゴシエーションの対象を上記送信したい通信パラメータに絞りこみ、更に送信能力及び受信能力に照らし合わせて迅速にネゴシエーションを行うことができる。また、受信機側で、送信したい通信パラメータ、送信能力に応じた通信パラメータ及び自機の受信能力に応じた通信パラメータに基づいて最適な通信パラメータを選択することができ、受信機が該最適な通信パラメータを送信機へ送信することにより、送信機は最適の通信パラメータに従って所定の画情報を受信機へ送信することができる、という効果が得られる。
【０１４６】
請求項７乃至９に記載された発明によれば、最初に送信機から送信したい通信パラメータ及び送信能力の通信パラメータを受信機へ通知するので、ネゴシエーションの対象を上記送信したい通信パラメータに絞りこみ、更に送信能力及び受信能力に照らし合わせて迅速にネゴシエーションを行うことができる。また、送信機と受信機の双方で、送信したい通信パラメータ、送信能力に応じた通信パラメータ及び受信能力に応じた通信パラメータに基づき、最適な通信パラメータを選択することができ、最適な通信パラメータの送受信が不要になる、という効果が得られる。
【０１４７】
請求項１０記載の発明によれば、通信パラメータが決定するまでの時間をかせぐことができる、という効果が得られる。
【０１４８】
請求項１１記載の発明によれば、相手機（送信機）側で送信したい通信パラメータ等が変更され、該変更された送信したい通信パラメータ等が相手機から再送されてきた場合でも、最終的に変更されたパラメータに基づいて最適の通信パラメータが選択され、該最適の通信パラメータに従って画情報を受信することができる、という効果が得られる。
【０１４９】
請求項１２記載の発明によれば、送信したい通信パラメータと送信能力に応じた通信パラメータとの両方が、単一の制御信号により一度に送信されるようにすることで、本来制御信号を２回送信するべき送信手順が簡素化され、ネゴシエーションに要する時間をさらに短縮することができる、という効果が得られる。
【０１５０】
請求項１３記載の発明によれば、各種通信パラメータを高速に送受信することにより、ネゴシエーションにおける通信時間の短縮を図ることができる、という効果が得られる。
【０１５１】
請求項１４記載の発明によれば、画情報の送信が可能か否かを判断し、画情報の送信が不可能である場合には、画情報の送信側から速やかに通信を中止させることができる、という効果が得られる。
【０１５２】
請求項１５記載の発明によれば、画情報の受信が可能か否かを判断し、画情報の受信が不可能である場合には、画情報の受信側から速やかに通信を中止させることができる、という効果が得られる。
【０１５３】
請求項１６記載の発明によれば、画情報の受信が可能か否かを判断し、画情報の受信が不可能である場合には、画情報を送信する側、受信する側の双方で画情報の受信が不可能であることを認識することができ、速やかに通信を中止させることができる、という効果が得られる。
【図面の簡単な説明】
【図１】第１乃至第５実施例のファクシミリ装置１０を示すブロック図である。
【図２】第１実施例における送信機側の制御ルーチンを示す流図である。
【図３】解像度チェックのサブルーチンを示す流図である。
【図４】サイズチェックのサブルーチンを示す流図である。
【図５】符号化方式チェックのサブルーチンを示す流図である。
【図６】第１及び第２実施例における受信機側の制御ルーチンの前半部を示す流図である。
【図７】第１及び第２実施例における受信機側の制御ルーチンの後半部を示す流図である。
【図８】第２実施例における送信機側の制御ルーチンを示す流図である。
【図９】（Ａ）は、第３実施例における受信能力パラメータが設定されたＮＳＦの構成を示す図であり、（Ｂ）は、従来の受信能力パラメータが設定されたＮＳＦの構成を示す図である。
【図１０】第４実施例における送信機側の制御ルーチンを示す流図である。
【図１１】解像度チェック２のサブルーチンを示す流図である。
【図１２】サイズチェック２のサブルーチンを示す流図である。
【図１３】符号化方式チェック２のサブルーチンを示す流図である。
【図１４】第４実施例における受信機側の制御ルーチンの前半部を示す流図である。
【図１５】第４及び第５実施例における受信機側の制御ルーチンの後半部を示す流図である。
【図１６】第４実施例の変形例における送信機側の制御ルーチンを示す流図である。
【図１７】第５実施例における受信機側の制御ルーチンの前半部を示す流図である。
【図１８】第５実施例における送信機側の制御ルーチンを示す流図である。
【符号の説明】
１０    ファクシミリ装置
１２    ＣＰＵ
１６    ＲＡＭ
２０    操作表示装置
【図１】
0003674072.tif 000002
【図２】
0003674072.tif 000003
【図３】
0003674072.tif 000004
【図４】
0003674072.tif 000005
【図５】
0003674072.tif 000006
【図６】
0003674072.tif 000007
【図７】
0003674072.tif 000008
【図８】
0003674072.tif 000009
【図９】
0003674072.tif 000010
【図１０】
0003674072.tif 000011
【図１１】
0003674072.tif 000012
【図１２】
0003674072.tif 000013
【図１３】
0003674072.tif 000014
【図１４】
0003674072.tif 000015
【図１５】
0003674072.tif 000016
【図１６】
0003674072.tif 000017
【図１７】
0003674072.tif 000018
【図１８】
0003674072.tif 000019